(57)【要約】【課題】法定の断熱性能基準をクリアした床下地を、時間と手間のかかる断熱補強作業が別途に必要になることなく簡単に且つ廉価に構築できる床下地構造を提供する。【解決手段】床スラブＦにおいて、法定の断熱性能基準値をクリアした断熱構造にする必要がある壁際の床縁部ｆ１上には、多数のレベル調整用モルタルダンゴ５を介して発泡樹脂製の断熱パネル１０を敷き詰めて断熱性能の高い第１の床下地Ｘを設置する一方、残りの床中央部ｆ２上には、ベースパネル３０を複数のレベル調整用支持脚２５で支えて敷き詰めて第２の床下地Ｙを設置すると共に、これら異なる床構造の第１の床下地Ｘと第２の床下地Ｙを連結手段Ａで一体的に連結して１つの床下地Ｂとして構築する。【選択図】          図１
2011084983.tif 000002
【特許請求の範囲】
【請求項１】
発泡樹脂製の断熱材および該断熱材の表面に並列して上面を外部に臨ませて埋設した硬質発泡樹脂製の桟木からなる複数の断熱パネルを、多数のレベル調整用モルタルダンゴを介して床スラブ上に敷き詰めて形成する第１の床下地と、複数のベースパネルを複数のレベル調整用支持脚で支えて床スラブ上に敷き詰めて形成する第２の床下地を備え、床スラブにおいて、法定の断熱性能基準値をクリアした断熱構造にする必要がある壁際の床縁部上には、第１の床下地を設置する一方、残りの床中央部上には、第２の床下地を設置すると共に、これら異なる床構造の第１の床下地と第２の床下地を連結手段で一体的に連結して１つの床下地を構築してなることを特徴とする、床下地構造。
【請求項２】
複数の床仕上げ板を、凹部と凸部の嵌め合いで面一に接合し、第１の床下地と第２の床下地を前記連結手段で連結して構築した前記床下地上に敷設して床表面を仕上げる床下地構造であって、前記連結手段は、第１の床下地上の前記床仕上げ板と第２の床下地上の前記床仕上げ板を接合するとき、凹部と凸部とが嵌め合う接合部を、第１の床下地と第２の床下地との繋ぎ目部位からずれた前記断熱パネルの桟木上に位置させて、該桟木に釘打ちして固定することにより第１の床下地と第２の床下地を一体的に連結してなることを特徴とする、請求項１に記載の床下地構造。
【請求項３】
前記連結手段は、第１の床下地上の前記床仕上げ板と第２の床下地上の前記床仕上げ板とを接合するとき、前記凹部と凸部が嵌め合う接合部を、第２の床下地寄りに設けた前記断熱パネルの桟木上に位置するように配置し、該桟木に前記接合部を釘打ちして固定することにより第１の床下地と第２の床下地を一体的に連結してなることを特徴とする、請求項２に記載の床下地構造。
【請求項４】
前記連結手段は、隣り合う前記断熱パネルと前記ベースパネルの上面に一枚板からなる連結板を重ねて固定することにより第１の床下地と第２の床下地を一体的に連結してなることを特徴とする、請求項１に記載の床下地構造。
【請求項５】
前記連結手段は、前記断熱パネルの上に重ねて固定する接合板と、台座上に立設する支柱の上端に支持板片をレベル調整可能に設けてなる複数の連結束とを備え、第１の床下地と第２の床下地の連結時、前記支持板片をレベル調整して前記断熱パネルと前記支持脚との間の前記床スラブ上に各連結束を固定し、それら連結束の支持板片上に、前記ベースパネルの端部と前記接合板の端部とを、向い合せに載せて固定することにより第１の床下地と第２の床下地を一体的に連結してなることを特徴とする、請求項１に記載の床下地構造。
【請求項６】
複数の床仕上げ板を、凹部と凸部の嵌め合いで面一に接合し、第１の床下地と第２の床下地を前記連結手段で連結して構築した前記床下地上に敷設して床表面を仕上げる床下地構造であって、前記連結手段は、第１の床下地上の前記床仕上げ板と第２の床下地の前記床仕上げ板を接合するとき、凹部と凸部とが嵌め合う接合部を、前記接合板と前記ベースパネルの端部が向き合う会合部からずれた位置に設けてなることを特徴とする、請求項５に記載の床下地構造。
【発明の詳細な説明】
【技術分野】
【０００１】
本発明は、集合住宅など各種建物のコンクリート製床スラブ上に床下地材を敷設して床下地を構築するのに好適な床下地構造に関する。
【背景技術】
【０００２】
従来、この種の床下地の中には、床下の配管・配線を容易にするために、床スラブの上方に空隙が空くように上部床を配置した所謂、乾式二重床の構造にしたものがある（特許文献参照）。この乾式二重床型の床下地は、それぞれゴム製の防振用基台上に回転自在に立設した支持ボルトと、支持ボルトの上端に螺合した調整ナットと、調整ナットに固定して支持ボルトで支持する受板片からなる複数の支持脚を用い、それぞれ防振用基台を床スラブ上に固着して支持ボルトを立脚させてから、支持ボルトを回して受板片を昇降させることによりレベル調整し、これら受板片上にパーティクルボードからなるベース板を載せて釘や接着剤で固定し、それらベース板を複数の支持脚で支えて床スラブ上に敷き詰めることにより床下地を構築する構造になっている。このように床下地を床スラブ上に設置してから、床下地材のベース板上に、例えばフローリング材、木質フロア、床タイル等の床仕上げ材を固着して床表面を仕上げている。
【先行技術文献】
【特許文献】
【０００３】
【特許文献１】実開平６  −  ７６５２１号公報
【特許文献２】特開平２００３−３６４８号公報
【発明の概要】
【発明が解決しようとする課題】
【０００４】
ところで、近年、地球の温暖化防止の見地から、ＣＯ２を削減するなど環境保全の重要性が叫ばれる中、省エネ法（エネルギーの使用の合理化に関する法律）が改正され、住宅・建築分野においても、平成１８年４月１日から2,000ｍ２以上の非住宅・住宅に対し、新築・増築および大規模改修を行う際に省エネ措置の届出および３年毎に維持保全の状況の報告を行うことが義務付けられた。住宅・建築分野においては、問題の床下地には、改正省エネ法に基づき、特に断熱性が必要な最下階・最上階や、２階以上でも外気と面する壁側や妻側の床に、壁際から部屋の中央部に向け所定の幅（北海道地域では６０ｃｍ以下）範囲にわたり床縁部を法定の断熱性能基準値を超えた断熱構造にする義務が課せられている。
【０００５】
ところが、上述した従来の床下地構造では、パーティクルボードのベース板が断熱材ではないので断熱効果を得られないことから、法定の断熱性能基準値をクリアすることができないために、裸スラブの段階で予め発泡プラスチックの断熱材を床スラブ下に打ち込んだり、後貼りしたりして断熱補強している。また、現場発泡ウレタンを壁や床スラブ上に吹き付けたりして断熱補強しているが、その場合も、乾式二重床の支持脚設置用にスラブ上のウレタン層にいったん穴をあけ、その穴に前記支持脚の脚元を設置した後、脚元の周りに出来た隙間を再び断熱材で埋め戻すという、非常に手間のかかる断熱補強作業が必ず必要になり、その結果、床下地の構築作業全体に時間と手間がかり、しかも、人手等が余計に必要になる分だけ構築費用も高くなるという課題があった。
【０００６】
そこで、本発明の目的は、上述した課題を解決し、法定の断熱性能基準をクリアした床下地を、時間と手間のかかる断熱補強作業が別途に必要になることなく簡単に且つ廉価に構築できる床下地構造を提供することにある。
【課題を解決するための手段】
【０００７】
請求項１に記載の発明は、たとえば以下に示す図示実施の形態のとおり、発泡樹脂製の断熱材１５および該断熱材１５の表面に並列して上面を外部に臨ませて埋設した硬質発泡樹脂製の桟木２０からなる複数の断熱パネル１０を、多数のレベル調整用モルタルダンゴ５を介して床スラブＦ上に敷き詰めて形成する第１の床下地Ｘと、複数のベースパネル３０を複数のレベル調整用支持脚２５で支えて床スラブＦ上に敷き詰めて形成する第２の床下地Ｙを備え、床スラブＦにおいて、法定の断熱性能基準値をクリアした断熱構造にする必要がある壁際の床縁部ｆ１上には、第１の床下地Ｘを設置する一方、残りの床中央部ｆ２上には、第２の床下地Ｙを設置すると共に、これら異なる床構造の第１の床下地Ｘと第２の床下地Ｙを連結手段Ａ・Ａ′・Ａ″で一体的に連結して１つの床下地Ｂを構築してなることを特徴とする。
【０００８】
請求項２に記載の発明は、請求項１に記載の発明において、たとえば以下に示す図示実施の形態のとおり、複数の床仕上げ板Ｐを、凹部６ａと凸部６ｂの嵌め合いで面一に接合し、第１の床下地Ｘと第２の床下地Ｙを前記連結手段Ａで連結して構築した前記床下地Ｂ上に敷設して床表面を仕上げる床下地構造であって、前記連結手段Ａは、第１の床下地Ｘ上の前記床仕上げ板Ｐ１と第２の床下地Ｙ上の前記床仕上げ板Ｐ２を接合するとき、凹部６ａと凸部６ｂとが嵌め合う接合部６を、第１の床下地Ｘと第２の床下地Ｙとの繋ぎ目部位ｊからずれた前記断熱パネル１０の桟木２０上に位置させて、該桟木２０に釘打ちして固定することにより第１の床下地Ｘと第２の床下地Ｙを一体的に連結してなることを特徴とする。
【０００９】
請求項３に記載の発明は、請求項２に記載の発明において、たとえば以下に示す図示実施の形態のとおり、前記連結手段Ａは、第１の床下地Ｘ上の前記床仕上げ板Ｐ１と第２の床下地Ｙ上の前記床仕上げ板Ｐ２とを接合するとき、前記凹部６ａと凸部６ｂが嵌め合う接合部６を、第２の床下地Ｙ寄りに設けた前記断熱パネル１０の桟木２０上に位置するように配置し、該桟木２０に前記接合部６を釘打ちして固定することにより第１の床下地Ｘと第２の床下地Ｙを一体的に連結してなることを特徴とする。
【００１０】
請求項４に記載の発明は、請求項１に記載の発明において、たとえば以下に示す図示実施の形態のとおり、前記連結手段Ａ′は、隣り合う前記断熱パネル１０と前記ベースパネル３０の上面に一枚板からなる連結板３５を重ねて固定することにより第１の床下地Ｘと第２の床下地Ｙを一体的に連結してなることを特徴とする。
【００１１】
請求項５に記載の発明は、請求項１に記載の発明において、たとえば以下に示す図示実施の形態のとおり、前記連結手段Ａ″は、前記断熱パネル１０の上に重ねて固定する接合板４５と、台座５１上に立設する支柱５２の上端に支持板片５３をレベル調整可能に設けてなる複数の連結束５０とを備え、第１の床下地Ｘと第２の床下地Ｙの連結時、前記支持板片５３をレベル調整して前記断熱パネル１０と前記支持脚２５との間の前記床スラブＦ上に各連結束５０を固定し、それら連結束５０の支持板片５３上に、前記ベースパネル３０の端部３０ａと前記接合板４５の端部４５ａとを、向い合せに載せて固定することにより第１の床下地Ｘと第２の床下地Ｙを一体的に連結してなることを特徴とする。
【００１２】
請求項６に記載の発明は、請求項５に記載の発明において、たとえば以下に示す図示実施の形態のとおり、複数の床仕上げ板Ｐを、凹部６ａと凸部６ｂの嵌め合いで面一に接合し、第１の床下地Ｘと第２の床下地Ｙを前記連結手段Ａ″で連結して構築した前記床下地Ｂ上に敷設して床表面を仕上げる床下地構造であって、前記連結手段Ａ″は、第１の床下地Ｘ上の前記床仕上げ板Ｐ１と第２の床下地Ｙの前記床仕上げ板Ｐ２を接合するとき、凹部６ａと凸部６ｂとが嵌め合う接合部６を、前記接合板４５と前記ベースパネル３０の端部４５ａ・３０ａが向き合う会合部５５からずれた位置に設けてなることを特徴とする。
【発明の効果】
【００１３】
請求項１に記載の発明によれば、床スラブにおいて、法定の断熱性能基準値をクリアした断熱構造にする必要がある壁際の床縁部上には、レベル調整用のモルタルダンゴを介して発泡樹脂製の断熱パネルを敷き詰めて形成する第１の床下地を設置する一方、残りの床中央部上には、ベースパネルをレベル調整用の支持脚で支えて敷き詰めて形成する第２の床下地を設置すると共に、これら異なる構造の第１の床下地と第２の床下地を連結手段で一体的に連結して１つの床下地を構築する構成であるから、従来のように裸スラブの段階で予め発泡プラスチックの断熱材を床スラブ下に打ち込んだり後貼りしたり、また、現場発泡ウレタンを壁や床スラブ上に吹き付けたりする非常に時間と手間のかかる断熱補強作業が一切必要でなくなり、それだけ床下地の構築作業が著しく簡単になり、人手等が削減されるため、高い断熱性能を併有した床下地を廉価に構築することができる。
【００１４】
請求項２に記載の発明によれば、凹部と凸部が嵌め合いで第１の床下地の床仕上げ板と第２の床下地上の床仕上げ板を接合するときに、凹部と凸部が嵌め合う接合部を、第１の床下地と第２の床下地の繋ぎ目部位からずれた断熱パネルの桟木上に位置させて、該桟木に釘打ちして固定することにより、両側の床下地の繋ぎ目部位を第２床下地上の一枚の床仕上げ板で跨いだ状態で異なる構造の第１および第２の床下地を接続するから、両床下地間の物性の違いを吸収して一体的に第１の床下地と第２の床下地を連結し１つの床下地として構築することができる。
【００１５】
請求項３に記載の発明によれば、凹部と凸部の嵌め合いで第１の床下地と第２の床下地の上で床仕上げ板を接合するときに、凹部と凸部の嵌め合う接合部が断熱パネルの第２の床下地寄りに設けた桟木の上に位置するようにし、この桟木に接合部を釘打ちして固定することにより第１の床下地と第２の床下地を連結するため、そのように接合部での釘打ち位置が第１の床下地と第２の床下地との繋ぎ目部位に近接し、それだけ第１の床下地と第２の床下地の連結強度を高めることができる。
【００１６】
請求項４に記載の発明によれば、第１床下地の断熱パネルと第２床下地のベースパネルの上面に一枚板の連結板を重ねて固定することにより、第１の床下地と第２の床下地の繋ぎ目部位を連結板で跨いだ状態で異なる構造の第１および第２の床下地を接合するから、それだけ連結強度が高められ、両床下地の物性の違いを吸収して第１の床下地と第２の床下地をより一体的に連結することができる。更に、連結手段は、断熱パネルの浅木に直に床仕上げ板を釘打ちして固定するのではなく、断熱パネルとベースパネル上に連結板を重ねて下張りすることにより第１の床下地と第２の床下地を連結し、その連結板の上に床仕上げ材を敷設して床表面を仕上げるため、この連結板の上には、洋室用床仕上げ材の床仕上げ板を敷設することができるだけでなく、和室用床仕上げ材として畳を装着して床表面を仕上げることもでき、その結果、洋室だけでなく和室の床下地にも、本発明を適用することができる。
【００１７】
請求項５に記載の発明によれば、レベル調整可能な連結束の支持板片の上に接合板とベースパネルの端部を載せて固定し、第１の床下地と第２の床下地との繋ぎ目部位を複数の連結束で支えて接合板とベースパネルを一体に接合し、それら接合板とベースパネルで異なる構造の第１および第２の床下地を接続するから、第１の床下地と第２の床下地との繋ぎ目部位での耐荷重が強められ、しかも、水平度を保持したまま、両床下地の物性の違いを吸収して両者を一体的に連結することができる。加えて、面一に接合した接合板とベースパネルの上に、洋室用床仕上げ材の床仕上げ板を敷設することができるだけでなく、和室用床仕上げ材の畳を装着して床表面を仕上げることもでき、その結果、洋室だけでなく和室の床下地にも、本発明を適用することができる。
【００１８】
加えて、請求項６に記載の発明によれば、凹凸の嵌め合いで第１の床下地上の床仕上げ板と第２の床下地上の床仕上げ板を接合するとき、凹部と凸部とが嵌め合う接合部を、第１床下地の接合板と第２床下地のベースパネルの端部が向き合う会合部からずらした位置にすることにより、第１床下地上の床仕上げ板と第２床下地上の床仕上げ板の凹凸の嵌め合いによる接合強度が低下するのを防止することができる。
【図面の簡単な説明】
【００１９】
【図１】（ａ）は本発明の一例である床下地構造を示す縦断面図、（ｂ）は床下地の連結状態を説明する一部拡大概要図である。
【図２】発泡樹脂製の断熱パネルを床スラブ上にモルタルダンゴを介して敷設した第１の床下地の構造を示す縦断面図である。
【図３】妻側壁際の第１の床下地の構造を示す平面図である。
【図４】ベースパネルを支持脚で支えて床スラブ上に敷設した第２の床下地の構造を示す縦断面図である。
【図５】支持脚の分解斜視図である。
【図６】第２例の連結手段で第１の床下地と第２の床下地を連結した床下地構造を示す縦断面図である。
【図７】図６に示す本発明の床下地構造を床仕上げ材として畳を使用した和室に適用した場合の床下地構造を示す縦断面図である。
【図８】第３例の連結手段で第１の床下地と第２の床下地を連結した床下地構造を示す縦断面図である。
【図９】図８に示す本発明の床下地構造において、第３例の連結手段に備えた複数の連結束による支持構造を示す縦断面図である。
【発明を実施するための形態】
【００２０】
以下、図面を参照しつつ、本発明の実施形態について説明する。
【００２１】
図１（ａ）は本発明による床下地構造の一例を示す縦断面図、（ｂ）は床下地の連結状態を説明する一部拡大概要図である。図示実施の形態は、本発明の床下地構造を、マンションのような鉄筋コンクリート造の集合住宅の床に適用している。図１は、洋室の妻側壁際の床構造を示している。
【００２２】
図１中符号Ｗは外気に面した妻側の壁、Ｆは床スラブである。壁Ｗには、その内壁面に発泡ウレタンの断熱材１ａと石膏ボード１ｂからなる断熱用壁ボード１が形成されている。符号Ｅは際根太、ＸとＹは、それぞれ異なる構造の第１の床下地および第２の床下地を示す。際根太Ｅは、壁ボード１の長手方向に沿って複数の木製縦材の束２…を、間隔を置いて床スラブＦ上に立設し、それら束２…の上に、木製横材の垂木３を、壁ボード１に予め印された床レベルの墨出線に沿って載置し、上面ｅを水平にレベル調整して垂木３を固定し、束２間には、図示省略したが、発泡樹脂製の断熱ブロックを嵌め込んだ断熱構造になっている。
【００２３】
そこで、図示洋室の床スラブＦには、省エネ法に従い、妻側の壁Ｗから所定幅（例えば４５ｃｍ）の範囲内にわたり床縁部ｆ１を、法定の断熱性能基準値をクリアした断熱構造にするために、壁際の床縁部ｆ１に高い断熱性能を併有した第１の床下地Ｘを設置する一方、床縁部ｆ１を除く床中央部ｆ２には、専ら耐衝撃性能を有した第２の床下地Ｙを設置する床構造になっている。従って、第１の床下地Ｘと第２の床下地Ｙは、各々の上面ｘ・ｙがレベル基準とする際根太Ｅの上面ｅと同一面になるように床スラブＦ上に設置すると共に、連結手段Ａで一体的に連結して１つの床下地Ｂを構築する構造になっている。この床下地Ｂを構築して後、第１の床下地Ｘと第２の床下地Ｙの上面ｘ・ｙに洋室用床仕上げ材として複数の床仕上げ板Ｐを敷設して床表面を仕上げるようにする。
【００２４】
さて、そこで、第１の床下地Ｘは、詳しくは図２および図３に示すように、床スラブＦ上に多数のレベル調整用モルタルダンゴ５を設置し、それらモルタルダンゴ５…の上に断熱パネル１０を載せて床縁部ｆ１に敷き詰めて形成する構造になっている。
【００２５】
モルタルダンゴ５は、粘性を保った状態のモルタルを１つ１つ団子状に丸めて床スラブＦ上に設置し、これらモルタルダンゴ５…の上に断熱パネル１０を載置する。従って、モルタルダンゴ５は、断熱パネル１０を介して下向きに押し込むと、その上部側が粘性に従い押し潰され、その結果、断熱パネル１０の高さ位置を調整することができると共に、経時に乾燥すると、下部側が床スラブＦと一体になって断熱パネル１０を床スラブＦ上に接着する機能を併有する。
【００２６】
断熱パネル１０は、断熱材１５と、断熱材１５の表面に設ける桟木２０とで構成されてなる。断熱材１５は、発泡樹脂製で、その中でも、図示例の断熱材１５は、有害なフロン・ホルムアルデヒド・アセトアルデヒド・トルエンを一切含まない発泡ビーズ法ポリスチレンフォームを原料とする発泡成型品からなり、平面視長方形に成形してなる。一方、桟木２０は、硬質熱可塑性発泡樹脂製で、その中でも、図示例の桟木２０は、断熱材１５と同様に有害なフロン等を一切含まない硬質発泡ビーズ法ポリスチレンフォームを原料とする発泡成型品からなり、断面矩形な棒体状に成形してなる。図示例の断熱パネル１０は、断熱材１５の長手方向に２本の桟木２０を配置して短手方向に平行に並列した状態で、上面を断熱材１５の上面から外部に臨ませて断熱材１５に埋設してなる。
【００２７】
そこで、第１の床下地Ｘは、床スラブＦにおいて、床縁部ｆ１上にプライマー等の接着剤を塗布して後、この接着面の上に多数のモルタルダンゴ５…を設置してから、それらモルタルダンゴ５…の上に断熱パネル１０を載せ、次いで、際根太Ｅの上面ｅを基準線として、断熱パネル１０を押し下げてモルタルダンゴ５を押し潰しながらレベル調整して断熱パネル１０を床縁部１の上に設置し、しかる後、それと同様に、隣りの断熱パネル１０′を、モルタルダンゴ５…を介して床スラブＦの床縁部ｆ１上に設置する工程を繰り返して断熱パネル１０・１０′を床縁部ｆ１に敷き詰めることにより、妻側の壁Ｗから所定の幅範囲内にわたり床縁部ｆ１を法定の断熱性能基準値をクリアした断熱構造にしてなる。
【００２８】
本発明による床下地Ｂは、床スラブＦ上において、以上のように法定の断熱性能基準値をクリアした断熱構造にする必要がある壁際の床縁部ｆ１の上に、断熱パネル１０を敷き詰めて形成する第１の床下地Ｘを設置してから、床縁部ｆ１を除く床中央部ｆ２に、以下のように第２の床下地Ｙを設置する構造になっている。
【００２９】
第２の床下地Ｙは、図４に示すように、床スラブＦ上に複数の支持脚２５…を立設し、それら支持脚２５…でベースパネル３０を受けて支持し、床スラブＦの上方に配管・配線を容易にする空隙が空くように上部床を配置した構造になっている。支持脚２５は、図５に示すように、ゴム等の弾性材料からなる防振用基台２６と、防振用基台２６に下端を螺着して該基台２６上に回転自在に立設した支持ボルト２７と、支持ボルト２７の上端に螺合したハット型筒状の調整ナット２８と、調整ナット２８に固定して支持ボルト２７で支持する矩形な受板片２９とで構成してなる。
【００３０】
支持ボルト２７は、上端面にマイナス溝２７ａが設けられ、ドライバ等の回転用工具の先端を嵌め込んで回転させることにより、調整ナット２８を昇降して受板片２９の高さ位置を調整する。調整ナット２８は、円筒部２８ａを、受板片２９に穿設した挿通穴２９ａに嵌合し、挿通穴２９ａの穴周縁に環状鍔部２８ｂを接着して受板片２９を取り付けている。支持脚２５は、図４に示すように、防振用基台２６上の支持ボルト２７の上端を、受板片２９と一体をなす調整ナット２８の円筒部２８ａにねじ込んで組み立ててなる。
【００３１】
ベースパネル３０は、例えば厚さ４０ｍｍの厚さのある平面視長方形のパーティクルボードからなる。ベースパネル３０は、パーティクルボードに限らず、各種の合板等の木質系板材を使用することもできる。
【００３２】
そこで、第２の床下地Ｙは、防振用基台２６をそれぞれ床スラブＦ上に接着して複数の支持脚２５…を立設してから、マイナス溝２７ａに回転用工具の先端を嵌め込んで支持ボルト２７を回すことにより、受板片２９を昇降させて各受板片２９の高さを調節し、各受板片２９の上面を際根太Ｅの上面ｅと同じ水平面に合致させた後に、受板片２９上にベースパネル３０を載せて釘や接着剤で受板片２８に固定し、同様に、隣りのベースパネル３０も複数の支持脚２５で支えて受板片２９に固定し、これをベースパネル３０ごとに繰り返してベースパネル３０を床中央部ｆ２上に敷設することにより構築してなる。
【００３３】
本発明の図示床下地構造は、以上のごとく、床スラブＦ上において、図１（ａ）に示すように、法定の断熱性能基準値をクリアした断熱構造にする必要がある壁際の床縁部ｆ１上には、断熱パネル１０を際根太Ｅの上面ｅを基準にレベル調整しながら敷き詰めて形成する第１の床下地Ｘを設置してから、残りの床中央部ｆ２には、ベースパネル３０を同様にレベル調整して敷き詰めて形成する第２の床下地Ｙを設置した後、第１および第２の床下地Ｘ・Ｙの上面ｘ・ｙに床仕上げ板Ｐを敷設するときに、隣り合った異なる構造の両床下地Ｘ・Ｙを連結手段Ａで一体的に連結して１つの床下地Ｂを構築する構成になっている。
【００３４】
従って、図示床下地構造によれば、床スラブＦにおいて、法定の断熱性能基準値をクリアした断熱構造にする必要がある壁際の床縁部ｆ１上には、レベル調整用モルタルダンゴ５を介して発泡樹脂製の断熱パネル１０を敷き詰めて形成した断熱性能の高い第１の床下地Ｘを設置し、床中央部ｆ２には、ベースパネル３０をレベル調整用支持脚２５で支えて敷き詰めて形成した第２の床下地Ｙを設置し、異なる構造の両床下地Ｘ・Ｙを連結手段Ａで一体的に連結して１つの床下地Ｂを構築する構成であるから、別途に、裸スラブ段階で発泡プラスチックの断熱材を床スラブＦの下に打ち込んだり、現場発泡ウレタンを壁Ｗや床スラブＦの上に吹き付けたりする時間と手間のかかる断熱補強作業が一切必要でなくなり、それだけ床下地の構築作業全体が簡単になり、人手等も削減されて廉価に床下地を構築することができる。
【００３５】
なお、図示床下地構造では、洋室用床仕上げ材として、短手方向両端に接合用に凹部６ａと凸部６ｂを有する床仕上げ板Ｐを用い、床スラブＦ上に第１の床下地Ｘと第２の床下地Ｙを設置した後に、それらの上面ｘ・ｙに床仕上げ板Ｐを凹凸の嵌め合いで面一に接合して床表面を仕上げる。そこで、第１例の連結手段Ａには、構成上、かかる床仕上げ板Ｐを含み、床仕上げ板Ｐは、第１の床下地Ｘと第２の床下地Ｙの上で接合すると、凹部６ａと凸部６ｂが嵌め合う接合部６が第１の床下地Ｘの断熱パネル１０の桟木２０上に位置する幅サイズに成形している。そして、連結手段Ａは、図１（ｂ）でも示すように、床表面の仕上げ時、第１の床下地Ｘと第２の床下地Ｙの上で床仕上げ板Ｐ１・Ｐ２を接合するときに、接合部６の、例えば凸部６ｂをフロア釘７で打ち抜いて桟木２０に固定してから、床仕上げ板Ｐ１の凸部６ｂに床仕上げ板Ｐ２の凹部６ａを嵌着して第１の床下地Ｘと第２の床下地Ｙを一体的に連結して１つの床下地Ｂを構築する構成になっている。
【００３６】
従って、第１例の連結手段Ａによれば、凹部６ａと凸部６ｂが嵌め合う接合部６を断熱パネル１０の桟木２０の上に位置させて、第１の床下地Ｘと第２の床下地Ｙとの繋ぎ目部位ｊからずらし、両床下地Ｘ・Ｙの繋ぎ目部位ｊを第２床下地Ｙ上の一枚板の床仕上げ板Ｐ２で跨いだ状態で異なる構造の第１および第２の床下地Ｘ・Ｙを接合するから、両床下地Ｘ・Ｙ間の物性の違いを吸収して一体的に第１の床下地Ｘと第２の床下地Ｙを連結して１つの床下地Ｂを構築することができる。
【００３７】
なお、第１例の連結手段Ａは、図示のように、第１の床下地Ｘと第２の床下地Ｙの上で床仕上げ板Ｐ１・Ｐ２を接合するときに、凹部６ａと凸部６ｂの嵌め合う接合部６が断熱パネル１０の第２の床下地Ｙ寄りに設けた桟木２０上に位置させる構成にし、接合部６の例えば凸部６ｂをフロア釘７で打ち抜いて桟木２０に固定することが望ましい。そのように接合部６での釘打ち位置を第１の床下地Ｘと第２の床下地Ｙとの繋ぎ目部位ｊに近接させることにより連結強度を高めることができる。
【００３８】
ところで、本発明では、上述した第１例の連結手段Ａに代えて、図６に示すような構成の第２例の連結手段Ａ′を備え、その連結手段Ａ′により異なる構造の第１の床下地Ｘと第２の床下地Ｙを一体的に連結して１つの床下地Ｂを構築することもできる。
【００３９】
第２例の連結手段Ａ′は、パーティクルボードの一枚板からなる連結板３５を備え、該連結板３５を、第１床下地Ｘの断熱パネル１０の上面ｘと第２床下地Ｙのベースパネル３０の上面ｙに重ねて配置し、釘や接着剤を用いて固定することにより、第１の床下地Ｘと第２の床下地Ｙを一体的に連結する構成になっている。連結板３５は、パーティクルボードに限らず、各種の合板等を使用することもできる。そして、本発明の床下地Ｂでは、連結板３５の上に、洋室用床仕上げ材として床仕上げ板Ｐを重ねて釘や接着剤で固定し床表面を仕上げる。
【００４０】
従って、第２例の連結手段Ａ′によれば、第１床下地Ｘの断熱パネル１０の上面ｘと第２床下地Ｙのベースパネル３０の上面ｙに一枚板の連結板３５を重ねて固定することにより、第１の床下地Ｘと第２の床下地Ｙとの繋ぎ目部位ｊを連結板３５で跨いだ状態で、異なる構造の第１の床下地Ｘと第２の床下地Ｙを接合するから、それだけ連結強度が高められ、両床下地Ｘ・Ｙ間の物性の違いを吸収してより一体的に連結することができる。
【００４１】
更に、第２例の連結手段Ａ′によれば、断熱パネル１０の浅木２０に直に床仕上げ板を釘打ちして固定するのではなく、図６に示すように、断熱パネル１０とベースパネル３０の上に連結板３５を重ねて下張りすることにより第１の床下地Ｘと第２の床下地Ｙを連結するから、連結板３５の上に床仕上げ材を載せて床表面を仕上げることができるから、連結板３５の上に、洋室用床仕上げ材の床仕上げ板Ｐを敷設することができるだけでなく、図７に示すように、和室用床仕上げ材として畳４０を敷設して床表面を仕上げることもできる。その結果、本発明は、洋室だけでなく和室の床下地にも適用することができる。
【００４２】
次に、本発明は、上述した連結手段Ａ・Ａ′に代え、図８に示すような構成の第３例の連結手段Ａ″を備え、その連結手段Ａ″によって異なる構造の第１の床下地Ｘと第２の床下地Ｙを一体的に連結して１つの床下地Ｂを構築することもできる。
【００４３】
第３例の連結手段Ａ″は、パーティクルボードからなる接合板４５と、複数の連結束５０を備える。接合板４５は、ベースパネル３０と同一の厚みの板材であればよく、パーティクルボードに限らず、各種の合板等を使用することもできる。連結束５０は、木製で、それぞれ台座５１上に立設する支柱５２の上端に支持板片５３をレベル調整可能に取り付けて組み立てる。この連結束５０において、台座５１は、図示のごとく、個々にブロック片状であってもよく、また、横に１本の長い垂木のような長尺物を用いて形成してもよい。一方、支持板片５３は、その上側の接合板４５の境目がどの位置に来るか判らないので、図９に示すように、横に１本の長い垂木のような長尺物を用いて形成することが望ましい。そして、図示例の連結束５０は、支柱５２や支持板片５３を削ったり切断したりして高さや勾配を微調節してレベル調整できるようになっている。
【００４４】
そこで、第３例の連結手段Ａ″は、支持板片５３をレベル調整して断熱パネル１０と支持脚２５との間の床スラブＦ上に各連結束５０を立てて固定し、それら連結束５０の支持板片５３上に、ベースパネル３０の端部３０ａと、断熱パネル１０の上に重ねて固定する接合板４５の端部４５ａとを向い合せに載せて固定することにより、第１の床下地Ｘと第２の床下地Ｙを一体的に連結して１つの床下地Ｂを構築する構成になっている。
【００４５】
そのように第３例の連結手段Ａ″を用いて床下地Ｂを構築するとき、詳しくは、まず、（１）支持板片５３の上面ｋが際根太Ｅの上面ｅと水平レベルが一致するようにレベル調整してから、各連結束５０を、それぞれ第１の床下地Ｘと第２の床下地Ｙの繋ぎ目部位ｊにおいて、図９に示すように間隔をあけて床スラブＦ上に立てて固定する。次いで、（２）図８に示すように、床スラブＦの床縁部ｆ１に設置したモルタルダンゴ５の上に断熱パネル１０を載せて押し下げ、際根太Ｅの上面ｅと各連結束５０の上面ｋを結ぶベンチマークを基準に、天場のパネル上面が当該ベンチマークと同じレベル線で固定されるように、断熱パネル１０を敷き詰める。それから、今度は（３）上記際根太Ｅの向い側にある際根太の上面と、各連結束５０の上面ｋとを結ぶベンチマークを基準に、そのベンチマークと同じレベル線に天場のパネル上面が合致するように、ベースパネル３０の端部３０ａを連結束５０の支持板片５３上に載せて釘や接着剤等で固定する。その後、（４）モルタルダンゴ５が乾燥すると、接合板４５の端部４５ａをベースパネル３０の端部３０ａと向い合せで連結束５０の支持板片５３上に載せた状態で、当該接合板４５を、断熱パネル１０の上面ｘに重ねて桟木２０に釘や接着剤等で固定し、更に、接合板４５の端部４５ａを連結束５０の支持板片５３の上面ｋに釘や接着剤等で固定し、こうして連結手段Ａ″により第１の床下地Ｘと第２の床下地Ｙを一体的に連結して１つの床下地Ｂを構築する。
【００４６】
更に、第３例の図示連結手段Ａ″において、図８に示すように、第１の床下地Ｘと第２の床下地Ｙの連結時、支持板片５３上で接合板４５とベースパネル３０の端部４５ａ・３０ａを向い合せに固定する際に、接合板４５とベースパネル３０の端部４５ａ・３０ａが向き合う会合部５５には、膨張代に対応する２〜３ｍｍの隙間を開けることが望ましく、これにより、接合板４５とベースパネル３０の膨張伸縮による端部同士の擦れ音などの発生や突き上下の発生を防止することができる。更に、同じ第１の床下地Ｘと第２の床下地Ｙの繋ぎ目部位ｊにおいて、連結束５０の支持板片５３と支持脚２５の受板片２９の間、並びに当該支持板片５３と断熱パネル１０との間にも、それぞれ隙間を形成することが好ましく、これにより、擦れ音や衝突音等の発生を防止することができる。
【００４７】
さて、図示第３例においても、以上のように１つの床下地Ｂが構築されて後は、例えば洋室用床仕上げ材として、短手方向両端に接合用に凹部６ａと凸部６ｂを有する床仕上げ板Ｐを用い、隣り合う床仕上げ板Ｐ（Ｐ１・Ｐ２）を凹凸の嵌め合いで面一に接合して床表面を仕上げるようにする。
【００４８】
以って、上述した構成の第３例の連結手段Ａ″によれば、レベル調整可能な連結束５０の支持板片５３上に接合板４５とベースパネル３０の端部４５ａ・３０ａを載せて固定し、第１の床下地Ｘと第２の床下地Ｙとの繋ぎ目部位ｊを複数の連結束５０で支えて接合板４５とベースパネル３０を一体に接合し、それら接合板４５とベースパネル３０で異なる構造の第１および第２の床下地Ｘ・Ｙを接続するから、第１の床下地Ｘと第２の床下地Ｙとの繋ぎ目部位ｊでの耐荷重が強められ、しかも、水平度を保持したまま、両床下地Ｘ・Ｙの物性の違いを吸収して両者を一体的に連結することができる。
【００４９】
また、第３例の連結手段Ａ″によっても、面一に接合した接合板４５とベースパネル３０の上に、洋室用床仕上げ材の床仕上げ板Ｐを敷設することができるだけでなく、和室用床仕上げ材の畳を装着して床表面を仕上げることもできる。その結果、本発明は、洋室だけでなく和室の床下地にも適用することができる。
【００５０】
なお、第３例の連結手段Ａ″は、図８に示すように、第１の床下地Ｘ上の床仕上げ板Ｐ１と第２の床下地Ｙ上の床仕上げ板Ｐ２を接合するとき、凹部６ａと凸部６ｂとが嵌め合う接合部６を、接合板４５とベースパネル３０の端部４５ａ・３０ａが向き合う会合部５５からずれた位置に設けることが好ましい。
【００５１】
従って、第３例の連結手段Ａ″では、そのように凹凸の接合部６を接合板４５とベースパネル３０の端部４５ａ・３０ａが向き合う会合部５５からずれた位置に設けることにより、第１床下地Ｘ上の床仕上げ板Ｐ１と第２床下地Ｙ上の床仕上げ板Ｐ２の凹凸の嵌め合いによる接合強度が低下するのを防止することができる。
【００５２】
以上の第３例の連結手段Ａ″は、連結束として、図示例の連結束５０に限らず、図示省略するが、例えば剛性をもった台座上にねじ軸を回転自在に立設し、そのねじ軸の上端にナットを介して支持板片を螺着し、レベル調整時は、ねじ軸を回してナットを昇降させることにより支持板片の高さ位置を調節する構造の他の連結束を用いることもできる。
【符号の説明】
【００５３】
Ａ・Ａ′・Ａ″  連結手段
Ｂ              床下地
Ｅ              際根太
Ｆ              床スラブ
Ｐ              床仕上げ板
Ｗ              壁
Ｘ              第１の床下地
Ｙ              第２の床下地
ｆ１            床縁部
ｆ２            床中央部
５              モルタルダンゴ
６              床仕上げ板の接合部
６ａ            凹部
６ｂ            凸部
１０            断熱パネル
１５            断熱材
２０            桟木
２５            支持脚
３０            ベースパネル
３５            連結板
４０            畳
４５            接合板
５０            連結束
５１            台座
５２            支柱
５３            支持板片
５５            会合部
【図１】
2011084983.tif 000003
【図２】
2011084983.tif 000004
【図３】
2011084983.tif 000005
【図４】
2011084983.tif 000006
【図５】
2011084983.tif 000007
【図６】
2011084983.tif 000008
【図７】
2011084983.tif 000009
【図８】
2011084983.tif 000010
【図９】
2011084983.tif 000011